(57)【要約】      （修正有）【課題】  複数の熱源機間で暖房運転の室内機と冷房運転の室内機とで相殺し合い融通し合うことにより、個々の熱源機のエネルギ消費或いは負担を軽減出来る様な空気調和システムの提供。【解決手段】  集中熱源装置と空調を行うべき空間に設けられた個別熱源装置と熱媒体により集中熱源装置（１）から供給された熱を個別熱源装置（２、２−１、２−２）へ搬送する熱搬送系統とを有しており、個別熱源装置（２、２−１、２−２）には圧縮機（８）を介装した冷媒循環系統（圧縮式冷暖房機内部の冷媒循環系統Ｋ）が設けられており、熱搬送系統（Ｌ）には液相の熱媒体（液相の圧縮式冷媒）に圧力を付加する流体機械（ポンプ１２）と、熱媒体の経路を変更するための熱媒体経路決定手段（例えば、開閉弁Ｖ１〜Ｖ９）とが介装されている。【選択図】  図１
2006258390.tif 000002
【特許請求の範囲】
【請求項１】
集中熱源装置と、空調を行うべき空間に設けられた個別熱源装置と、熱媒体により集中熱源装置から供給された熱を個別熱源装置へ搬送する熱搬送系統とを有しており、個別熱源装置には圧縮機を介装した冷媒循環系統が設けられており、熱搬送系統には液相の熱媒体に圧力を付加する流体機械と、熱媒体の経路を変更するための熱媒体経路決定手段とが介装されていることを特徴とする空気調和システム。
【請求項２】
集中熱源装置は作動しているが個別熱源装置に介装された圧縮機を作動しない運転と、集中熱源装置と個別熱源装置に介装された圧縮機を両方とも作動する運転と、集中熱源装置と個別熱源装置に介装された圧縮機の両方を作動するが集中熱源装置で行う運転の種類と個別熱源装置に介装された圧縮機を用いて行う運転の種類とが異なっている運転とを切換可能に構成している請求項１の空気調和システム。
【請求項３】
個別熱源装置には熱交換手段が設けられ、該熱交換手段は、個別熱源装置が設けられた空調を行うべき空間と、搬送する熱搬送系統を循環する熱媒体との間で熱交換を行う様に構成されている請求項１、２の何れかの空気調和システム。
【請求項４】
熱搬送系統を循環する熱媒体と、個別熱源装置の冷媒循環系統を流れる冷媒とで熱交換を行う熱交換器を設けている請求項１〜３の何れか１項の空気調和システム。
【発明の詳細な説明】
【技術分野】
【０００１】
本発明は、空気調和システムに関し、特に集中熱源方式と個別分散熱源方式とを組合せ、多様な空調負荷に対応可能な空気調和システムに関する。
【背景技術】
【０００２】
一般事務所ビル、ホテル、病院、福祉施設、スーパー銭湯等の冷暖房に関しては、夫々の需要に応じた種々の冷暖房装置が用いられている。それらの冷暖房装置の現在主流の方式には、大きく分けて集中熱源方式と個別分散熱源方式がある。
【０００３】
集中熱源方式は、図１０に示すように、例えば、ビルＢの地下に設置した少数（図示の例では１台）の集中熱源（例えば、吸収冷凍機やターボ式冷凍機などの熱源機）１によって冷温熱を発生させ、空調用冷温水配管Ｌｗを通して冷温水を水ポンプＰによって多数のファンコイルユニット２へ搬送し、ファンコイル２において室内空気と熱交換することにより、冷暖房を行う方式である。
【０００４】
一方、個別分散方式とは、図１１に示すように、ビルＢの各部屋、各スペース、各パーティション毎に建物ＢのベランダＢｂや屋上Ｂａに個別に熱源機１を設け、その熱源機１から図示ない圧縮機によって各部屋、各スペース、各パーティションに設けた熱交換器（室内機）２へ冷媒を搬送し、各部屋、各スペース、各パーティションの空気と熱交換することにより冷暖房を行う方式である。
【０００５】
集中熱源方式では、熱源機を一箇所に集中しており、個別分散熱源方式に比べ、熱源機の設置スペースを節約出来る。
しかし、多様な空調負荷に対応するためには、現在主流である２管式に代えて４管式を採用する必要があり、施工費・材料費が嵩んでしまう。そのため、集中熱源方式では冷暖房を混在することが可能であるのに、従来、殆ど、混在していない。
更に、図１０で分かるように、集中熱源方式では、水配管Ｌｗが必要となる。即ち、室内に水を持ち込むこととなり、ＯＡ機器を多数有する現代オフィスにおいては受け容れ難いことである。
【０００６】
一方、個別分散方式では、集中熱源方式とは異なり、冷房と暖房とを混在できるメリットがある。
また、個別分散熱源方式では、熱源機が複数の室内機を有する場合、暖房運転の室内機と冷房運転の室内機とで相殺（融通し合う）システムが存在する。
しかしながら、熱源機間で相殺（融通）するシステムはいまだに存在しない。
即ち、現状では個別に設置した熱源機間に連携や連動が出来ず、総合的な熱回収省エネ運転が出来ない。
熱源機間で相殺（融通）出来るシステムがあれば、個々の熱源機のエネルギ消費或いは負担が軽減するので、省エネルギに寄与することになるが、その様なシステムは、現状では存在しない。
また、個別分散方式のデメリットとして、冷媒搬送に圧縮機を用いるので、潤滑用の冷凍機器油を冷媒中に混入する必要がある。配管長が長い場合、潤滑油が戻って来ないことが無い様に、配管設計には油戻りを考慮する必要がある。
更に、配管延長が長い場合には圧縮機効率が低下するため、熱源機容量を大きくする必要がある。
【０００７】
その他の従来技術として、吸収冷凍機と圧縮式冷凍機とを組み合わせ、吸収冷凍機で得た冷熱を水で搬送する場合の各種問題を解消する技術が提案されている（例えば、特許文献１参照）。
この技術は大変有用なものであるが、複数の熱源機間で冷熱或いは温熱を融通し合って、個々の熱源機のエネルギ消費或いは負担を軽減することを目的とするものではない。
【特許文献１】特開２００４−１３８３１６号公報
【発明の開示】
【発明が解決しようとする課題】
【０００８】
本発明は上述した従来技術に鑑みて提案されたものであり、複数の熱源機間で暖房運転の室内機と冷房運転の室内機とで相殺し合い融通し合うことにより、個々の熱源機のエネルギ消費或いは負担を軽減出来る様な空気調和システムの提供を目的としている。
【課題を解決するための手段】
【０００９】
本発明の空気調和システムは、集中熱源装置（例えば、吸収式冷温水機１、吸収冷凍機、ターボ冷凍機、蓄熱槽を設けた熱源機等）と、空調を行うべき空間（例えば、建造物Ｂにおける各部屋、各階等）に設けられた個別熱源装置（例えば、圧縮式冷暖房機２、２−１、２−２、室内機）と、熱媒体（圧縮式冷媒）により集中熱源装置（１）から供給された熱（いわゆる「冷熱」或いは「温熱」）を個別熱源装置（２、２−１、２−２）へ搬送する熱搬送系統（圧縮式冷媒が循環する熱搬送系統Ｌ、Ｌ１〜Ｌ２１、二次冷温熱媒体が循環する循環系統）とを有しており、個別熱源装置（２、２−１、２−２）には圧縮機（８）を介装した冷媒循環系統（圧縮式冷暖房機内部の冷媒循環系統Ｋ）が設けられており、熱搬送系統（Ｌ）には液相の熱媒体（液相の圧縮式冷媒）に圧力を付加する流体機械（ポンプ１２）と、熱媒体の経路を変更するための熱媒体経路決定手段（例えば、開閉弁Ｖ１〜Ｖ９）とが介装されていることを特徴としている（請求項１）。
【００１０】
本発明において、集中熱源装置（例えば、吸収式冷温水機１、吸収冷凍機、ターボ冷凍機、蓄熱槽を設けた熱源機等）は作動して（冷房運転或いは暖房運転を行って）いるが個別熱源装置（例えば、圧縮式冷暖房機２、２−１、２−２、室内機）に介装された圧縮機（８）を作動しない運転と、集中熱源装置（１）と個別熱源装置（２、２−１、２−２）に介装された圧縮機（８）を両方とも作動する運転と、集中熱源装置（１）と個別熱源装置（２、２−１、２−２）に介装された圧縮機（８）の両方を作動するが集中熱源装置（１）で行う運転の種類（冷房運転或いは暖房運転）と個別熱源装置（２、２−１、２−２）に介装された圧縮機（８）を用いて行う運転の種類（暖房運転或いは冷房運転）とが異なっている運転（集中熱源装置１で冷房運転を行うが個別熱源装置２、２−１、２−２に介装された圧縮機８を用いて暖房運転を行う、或いは、集中熱源装置１で暖房運転を行うが個別熱源装置２、２−１、２−２に介装された圧縮機８を用いて冷房運転を行う運転）とを、切換可能に構成しているのが好ましい（請求項２）。
【００１１】
そして本発明において、個別熱源装置（例えば、圧縮式冷暖房機２、２−１、２−２、室内機）には熱交換手段（例えばファンコイル９）が設けられ、該熱交換手段（９）は、個別熱源装置（２、２−１、２−２）が設けられた空調を行うべき空間と、搬送する熱搬送系統（Ｌ）を循環する熱媒体（圧縮式冷媒）との間で熱交換を行う様に構成されているのが好ましい（請求項３）。
【００１２】
本発明において、熱搬送系統（圧縮式冷媒が循環する熱搬送系統Ｌ、Ｌ１〜Ｌ２０、二次冷温熱媒体が循環する循環系統）を循環する熱媒体（圧縮式冷媒）と、個別熱源装置（２、２−１、２−２）の冷媒循環系統（圧縮式冷暖房機内部の冷媒循環系統Ｋ）を流れる冷媒とで熱交換を行う熱交換器（６）を設けている（請求項４）。
【発明の効果】
【００１３】
上述した構成を具備する本発明のシステムによれば、熱媒体（圧縮式冷媒）により集中熱源装置（１）から供給された熱（いわゆる「冷熱」或いは「温熱」）を個別熱源装置（２、２−１、２−２）へ搬送する熱搬送系統（圧縮式冷媒が循環する熱搬送系統Ｌ、Ｌ１〜Ｌ２１、二次冷温熱媒体が循環する循環系統）とを有しているので（請求項１）、水配管を用いること無く、換言すれば、天井等に水配管が這いずり回る様な事態を防止しつつ、集中熱源装置（１）から供給された熱を個別熱源装置（２、２−１、２−２）へ搬送することが可能となる。
そのため、集中熱源装置を用いた場合の利点と、個別熱源装置を用いた場合の利点とを同時に享有できる。
【００１４】
すなわち、本発明によれば、集中熱源装置（１）と個別熱源装置（２、２−１、２−２）に介装された圧縮機（８）の両方を作動するが集中熱源装置（１）で行う運転と個別熱源装置（２、２−１、２−２）に介装された圧縮機（８）を用いて行う運転とが異なっている運転（集中熱源装置１で冷房運転を行うが個別熱源装置２、２−１、２−２に介装された圧縮機８を用いて暖房運転を行う、或いは、集中熱源装置１で暖房運転を行うが個別熱源装置２、２−１、２−２に介装された圧縮機８を用いて冷房運転を行う運転）を実行可能に構成されているので（請求項２）、冷房負荷と暖房負荷とが混在する場合に、冷房負荷と暖房負荷とをシステム全体で打ち消し合い、或いは、両負荷に対する温熱と冷熱とを融通し合うことが可能である。そして、個別熱源装置（２、２−１、２−２）により個々の冷房負荷と暖房負荷に対処する場合に比較して、システム全体の負荷を減少することが可能である。
【００１５】
さらに本発明によれば、個別熱源装置（例えば、圧縮式冷暖房機２、２−１、２−２、室内機）には熱交換手段（例えばファンコイル９）が設けられており、該熱交換手段（９）は、個別熱源装置（２、２−１、２−２）が設けられた空調を行うべき空間と、搬送する熱搬送系統（Ｌ）を循環する熱媒体（圧縮式冷媒）との間で熱交換を行う様に構成されているので（請求項３）、個別熱源装置（２、２−１、２−２）に介装された圧縮機（８）を駆動しなくても、集中熱源装置（１）から提供された冷熱或いは温熱を、熱搬送系統（Ｌ）を介して、空調を行うべき空間に供給することが出来る。
【００１６】
本発明によれば、熱搬送系統（Ｌ）には液相の熱媒体（液相の圧縮式冷媒）に圧力を付加する流体機械（ポンプ１２）が介装されている（請求項２）ので、圧縮機やブロワ等を使用する必要が無い。そのため、圧縮機用の潤滑油の戻りを考慮する必要が無い。
【発明を実施するための最良の形態】
【００１７】
以下、添付書類を参照して、本発明の実施形態について説明する。
【００１８】
図１は、本実施形態の空気調和システムを建造物に適用した状態を示している。
図１において、建造物Ｂの地階には１台の吸収式冷温水機１を、２階以上の各階には各１台ずつの熱交換器４を設置し、前記吸収式冷温水機１と各階の熱交換器４とを冷温水供給系統Ｌｗ（水配管）により循環可能に接続し、吸収式冷温水機１から各階に設置した熱交換器４へ、循環ポンプＰによって、冷房時は冷水、暖房時は温水を供給している。
【００１９】
各階には、夫々複数台の圧縮式冷暖房機２（２−１）、２（２−２）を設置している。これら各階の圧縮式冷暖房機２は、前記各階毎に設置した熱交換器４と熱搬送系統Ｌによって循環可能に接続されている。
【００２０】
圧縮式冷暖房機２，２は、圧縮機を稼動することによりそれ自体で冷暖房を行うことが出来るが、熱交換器４から熱搬送系統Ｌを介して供給される熱量、すなわち、冷温水供給系統Ｌｗを流れる冷水或いは温水の保有する熱量（冷熱或いは温熱）により、冷房運転及び暖房運転を行うことが出来る。
【００２１】
ここで、熱搬送系統Ｌには、例えばフロンのような冷媒（圧縮式冷媒）が循環し、熱交換器４は、冷温水供給系統Ｌｗを流れる冷水或いは温水の保有する熱量（冷熱或いは温熱）を、熱搬送系統Ｌを循環する圧縮式冷媒へ投入している。
【００２２】
吸収式冷温水機１からの熱媒体である水は、熱交換器４までしか供給されず、各階の天井に水配管が配設されてしまうことは無く、水配管の漏水による各種機器(例えばＯＡ機器類)の損傷が防止される。
【００２３】
図１において、符号１２は、熱運搬系統Ｌを循環する圧縮式冷媒に圧力を付加する循環ポンプを、符号１１は、熱運搬系統Ｌ中に含まれる気相冷媒を分離して気相冷媒が循環ポンプ１２に混入してポンプ１２をキャビテーションによる破壊から回避するためのレシーバを示す。
【００２４】
そのように、本実施形態では、熱搬送系統Ｌには液相の熱媒体（液相の圧縮式冷媒）に圧力を付加するポンプ１２が介装されているので、圧縮機やブロワ等を使用する必要が無い。
そのため、圧縮機用の潤滑油の戻りを考慮する必要が無い。
【００２５】
図２は、図１で示す各階の熱交換器４、熱搬送系統Ｌ、圧縮式冷暖房機２（２−１，２−２）及び熱搬送系統Ｌを流れる冷媒と、圧縮式冷暖房機２の詳細を示している。
【００２６】
ここで、圧縮式冷暖房機２は、同一の仕様を複数用いており、夫々、副の記号２‐１、２‐２を付して必要に応じて識別して説明する。
【００２７】
圧縮式冷暖房機２（２−１、２−２）は、熱搬送系統Ｌを流れる冷媒と、圧縮式冷暖房機２（２−１、２−２）内部の冷媒循環系統Ｋを流れる冷媒とで熱交換を行う熱交換器６と、圧縮式冷暖房機２内部の冷媒循環系統Ｋを流れる冷媒を圧送する圧縮機８と、熱搬送系統Ｌを流れる冷媒と室内空気との間で熱交換を行うファンコイルユニット９と、圧縮式冷暖房機２内部の冷媒循環系統Ｋを流れる冷媒と室内空気との間で熱交換を行うヒートポンプ１０とによって構成されている。
【００２８】
熱交換器６は、熱搬送系統Ｌを流れる冷媒が保有する潜熱と、圧縮式冷暖房機２（２−１、２−２）内部の冷媒循環系統Ｋを流れる冷媒が保有する潜熱とを熱交換する、潜熱−潜熱熱交換器として作用する（図３、図４、図６、図７、図９）が、熱搬送系統Ｌを流れる圧縮式冷媒の顕熱と、圧縮式冷暖房機２内部の冷媒循環系統Ｋの冷媒における潜熱とを熱交換する、顕熱−潜熱熱交換器として作用する場合もある（図５、図８）。
【００２９】
熱搬送系統Ｌは以下のライン群Ｌ１〜Ｌ２０で構成されている。
ラインＬ１は、途中に開閉弁Ｖ１を介装し、一端を熱交換器４の一方の接続箇所４１に接続し、他端は分岐点Ｂ１でラインＬ２及びＬ３に分岐する。
ラインＬ２は、途中に開閉弁Ｖ２を介装し、他端は分岐点Ｂ２でラインＬ４及びＬ５に分岐する。
ラインＬ３は、途中に開閉弁Ｖ３を介装し、他端は分岐点Ｂ３でラインＬ６に接続されるとともに、前記ラインＬ４とも接続されている。
ラインＬ４は、分岐点Ｂ２側から分岐点Ｂ３に向かって、順にレシーバ１１、冷媒ポンプ１２を介装し、他端は分岐点Ｂ３で前記ラインＬ３及びＬ６と接続されている。
【００３０】
ラインＬ５は途中に開閉弁Ｖ４を介装し、他端が分岐点Ｂ４に接続される。ラインＬ６は途中に開閉弁Ｖ５を介装し、他端が分岐点Ｂ４に接続される。
分岐点Ｂ４では、ラインＬ５、Ｌ６が合流するとともに、ラインＬ７の一端が接続され、そのラインＬ７の他端は分岐点Ｂ５でラインＬ８とＬ１８とに分岐する。
【００３１】
ラインＬ８は分岐点Ｂ６においてラインＬ９とＬ１４に分岐する。
ラインＬ９は開閉弁Ｖ７を介装しており、他端が圧縮式冷暖房機２(２−１)の構成であるファンコイル９の一方の接続部９１に接続される。
ファンコイル９の他方の接続部９２にはラインＬ１０の一端が接続され、そのラインＬ１０の他端は分岐点Ｂ７において、ラインＬ１１及びＬ１３に分岐する。
【００３２】
ラインＬ１１は分岐点Ｂ８において、ラインＬ１２とＬ１５に分岐する。
ラインＬ１３の他端は、熱交換器６の一方の接続部６１に接続され、熱交換器６の他方の接続部６２には前記ラインＬ１４の他端が接続されている。尚、ラインＬ１４には開閉弁Ｖ６が介装されている。
【００３３】
前記ラインＬ１２の他端は、前記熱交換器４の他方の接続部４２に接続されている。
前記ラインＬ１５の他端は、分岐点Ｂ９においてラインＬ１６及びＬ２０に分岐する。
ラインＬ１６の他端は、圧縮式冷暖房機２(２−２)の構成であるファンコイル９の一方の接続部９２に接続され、ファンコイル９の他方の接続部９１には開閉弁Ｖ９を介装したラインＬ１７が接続されている。
【００３４】
ラインＬ１７の他端は分岐点Ｂ１０において、ラインＬ１８と開閉弁Ｖ８を介装したＬ１９に分岐する。
ラインＬ１８の他端は前記分岐点Ｂ５に接続されている。
ラインＬ１９の他端は、熱交換器６の一方の接続部６２接続され、熱交換器６の他方の接続部６１には前記ラインＬ２０が接続されている。そして、ラインＬ２０の他端は前記分岐点Ｂ９に接続されている。
【００３５】
前記ラインＬ４に介装された前記レシーバ１１は、ポンプ１２が気相冷媒を吸入してキャビテーションを発生しないように、気液分離するために設けられている。ここでポンプ１２は、圧縮式冷媒に圧力を付加して、熱搬送系統Ｌで循環させている。
【００３６】
圧縮式冷暖房機２（２−１、２−２）内部の冷媒循環系統Ｋは、以下のライン群Ｋ１〜Ｋ５によって構成されている。
ラインＫ１は、圧縮機８と熱交換器６とを接続している。ラインＫ２は、熱交換器６と絞り弁Ｖ１１とを接続している。ラインＫ３は、絞り弁Ｖ１１とヒートポンプ１０とを接続している。ラインＫ４は、ヒートポンプ１０と絞り弁Ｖ１２とを接続している。ラインＫ５は、絞り弁Ｖ１２と圧縮機８とを接続している。
【００３７】
圧縮式冷暖房機２(２−１)の開閉弁Ｖ１１、Ｖ１２は、開度調節されている場合には減圧弁として作用し、その場合には図１〜図７において、図示がされている。一方、開閉弁Ｖ１１、Ｖ１２を全開した場合は、絞りとしての作用は全く奏しないので、図１〜図７において図示を省略している。
【００３８】
図１及び図２で示す様に、図示の実施形態は、吸収式冷温水機１を用いた集中熱源方式と、複数の圧縮式冷暖房機２、２を用いた個別熱源方式との組み合わせによる空気調和システムである。
【００３９】
吸収式冷温水機１を用いた集中熱源方式と、複数の圧縮式冷暖房機２、２を用いた個別熱源方式とを組み合わせた結果として、冷房と暖房とが混在する負荷にも対応出来る。
即ち、冷房負荷と暖房負荷とが混在する場合に、冷房負荷と暖房負荷とをシステム全体で打ち消し合い、或いは、両負荷に対する温熱と冷熱とを融通し合うことが可能となり、圧縮式冷暖房機２（２−１、２−２）により、個々の冷房負荷と暖房負荷に対処する場合に比較して、システム全体の負荷を減少することが可能である。
【００４０】
圧縮式冷暖房機２内部の冷媒循環系統Ｋにおいて、圧縮機８は、図示しないバイパス回路や、その他の回路と４方弁を別途設け、圧縮式冷暖房機２内部の冷媒循環系統Ｋを逆流可能に構成することができる。
【００４１】
図３〜図９においては、係る公知の技術により、圧縮式冷暖房機２内部の冷媒循環系統Ｋにおける冷媒の流れの変更を、圧縮機８の位置を変更することで表現している。換言すれば、図３〜図９において、圧縮式冷暖房機２内部の冷媒循環系統Ｋにおける圧縮機８の位置が変更して表示されていても、システムの構成を変更するものではない。
従って、図２〜図９において、冷媒循環系統Ｋを構成するラインＫ１〜Ｋ９が、各図で、位置が異なる場合があるが、ラインＫ１〜Ｋ９は、各図毎の構成(接続)の順番を示すものとした。
【００４２】
吸収式冷温水機１は冷房と暖房の２通りの運転形式が存在する。その各々において、
（１）  圧縮式冷暖房機２における圧縮機８を使わない場合、
（２）  圧縮式冷暖房機２における圧縮機８を使って、吸収冷温水機１と同じ空調運転（冷房運転或いは暖房運転）を行う場合（いわゆる「パワフル冷房運転」、「パワフル暖房運転」）、
（３）  圧縮機冷暖房機２における空調運転（冷房運転或いは暖房運転）が、吸収冷温水機１における空調運転（暖房運転或いは冷房運転）とは異なる空調運転（逆の空調運転）を行う場合（例えば、夏季と冬季の中間期で冷房負荷と暖房負荷とが混在しているため、吸収冷温水機１が冷房運転を行うが圧縮機冷暖房機２が暖房運転を行う場合、或いは、冬季に圧縮機冷暖房機２が冷房運転を行う場合）、
の３パターンが存在する。
合計すれば、６パターン（３パターン×２通り）存在する。
【００４３】
以下、図３〜図９を参照して、その６パターンの各々を説明する。
説明に際しては、冷媒の流れる循環系(ライン)は太線で示すとともに冷媒の流れの方向を矢印で示し、冷媒が流れない循環系はラインの符号を省略する。
【００４４】
図３は、通常冷房で、吸収式冷温水機１が冷房運転（冷温水供給系統Ｌｗに冷水を供給する運転）を行っており、圧縮式冷暖房機２における圧縮機８を使わない場合である。即ち、圧縮機８を稼動させず、吸収式冷温水機１が供給する冷水で供給される冷熱を使用して、圧縮式冷暖房機２が設けられている空間で冷房運転を行う事例である。
【００４５】
ここで、基本的には、圧縮式冷暖房機２の圧縮機８は、消費エネルギが増加するため使用（稼動）せず、ファンコイル９のみで空調負荷に対応する。ファンコイル９で対応出来ない場合（図３のパワフル冷房：後述）のみ、圧縮機８を稼動することで対応する。
【００４６】
図３において、開閉弁Ｖ１、Ｖ２、Ｖ５、Ｖ７は開放され、開閉弁Ｖ３、Ｖ４、Ｖ６、Ｖ８、Ｖ９は閉鎖されている。
【００４７】
圧縮式冷暖房機２−２側の開閉弁Ｖ８、Ｖ９が閉じられているので、熱搬送系統Ｌを流れる圧縮式冷媒は、圧縮式冷暖房機２−２には流入せず、圧縮式冷暖房機２−１側のファンコイル９にのみ流れる。
【００４８】
吸収式冷温水機１から冷温水供給系統Ｌｗに送られる冷水が保有する熱（いわゆる「冷熱」）は、熱交換器４を介して熱搬送系統Ｌを流れる圧縮式冷媒に投入され、気相の圧縮式冷媒を凝縮する。
気相を幾分残しているが、液相の低温圧縮式冷媒は、ラインＬ１から開閉弁Ｖ１、分岐点Ｂ１、ラインＬ２の開閉弁Ｖ２、分岐点Ｂ２及びラインＬ４に介装されたレシーバ１１を介して完全に気相分が分離除去された低温液相冷媒は冷媒搬送用のポンプ１２に吸入され、圧力を付加されて吐出される。
その後、分岐点Ｂ３、ラインＬ６の開閉弁Ｖ５、分岐点Ｂ４、ラインＬ７、分岐点Ｂ５、ラインＬ８、分岐点Ｂ６、ラインＬ９の開閉弁Ｖ７を介して、圧縮式冷暖房機２−１のファンコイル９に流入する。
【００４９】
この場合、圧縮式冷暖房機２−１内の圧縮機８は稼動せず、冷媒は冷媒循環系統Ｋを流れないので、熱交換器６で熱搬送系統Ｌを流れる圧縮式冷媒と熱交換を行う必要はない。そのため、開閉弁Ｖ６を閉鎖しており、熱搬送系統Ｌを流れる圧縮式冷媒は全量がファンコイル９へ流入する。
【００５０】
ファンコイル９において、熱搬送系統Ｌを流れる圧縮式冷媒は、圧縮式冷暖房機２−１が設置されている空間（例えば、部屋）内から気化熱を奪って蒸発し、当該空間内の気温を降下せしめる（冷房運転）。
【００５１】
ファンコイル９で気化した気相の圧縮式冷媒はラインＬ１０、Ｌ１１、Ｌ１２を介して熱交換器４まで戻り、再び、冷温水供給系統５を流れる冷水が保有する熱（いわゆる「冷熱」）が、熱搬送系統Ｌを流れる圧縮式冷媒へ投入される。
その結果、気相の圧縮式冷媒は凝縮して液相の圧縮式冷媒となり、熱搬送系統Ｌを流れる。
【００５２】
ここで、気相の圧縮式冷媒が熱交換器４で凝縮しなかった場合に、気相の冷媒がポンプ１２に吸入されてポンプ１２を破損しないように、レシーバ１１において、気相の圧縮式冷媒が液相圧縮式冷媒から分離される。
【００５３】
図３の運転パターンでは、圧縮機８を稼動させず、吸収式冷温水機１が供給する冷水で供給される冷熱を使用して、個別熱源装置２（２−１、２−２）が設けられている空間で冷房運転を行うので、個別熱源装置２（２−１、２−２）に介装された圧縮機８を駆動しなくても、吸収式冷温水機１から提供された冷熱或いは温熱を、熱搬送系統Ｌを介して、空調を行うべき空間に供給することが出来る。
【００５４】
次に、図４に基づいて、いわゆる「パワフル冷房運転」、即ち、吸収冷温水機１が冷房運転を行い、圧縮式冷暖房機２が圧縮機８を稼動して冷房運転を行うパターンを説明する。
【００５５】
図４において、開閉弁Ｖ１、Ｖ２、Ｖ５、Ｖ６、Ｖ７は開放され、開閉弁Ｖ３、Ｖ４、Ｖ８、Ｖ９は閉鎖されている。
開閉弁Ｖ１２（図２参照）は全開なので、絞り機能は無い。そのため、図２では図示を省略してある。
【００５６】
図３の通常運転と同様に、開閉弁Ｖ８、Ｖ９が閉じられているので、熱搬送系統Ｌを流れる圧縮式冷媒は、圧縮式冷暖房機２−２には流入せず、圧縮式冷暖房機２−１側にのみ流れる。
そして、吸収式冷温水機１から冷温水供給系統Ｌｗに送られる冷水が保有する熱（いわゆる「冷熱」）は、熱交換器４を介して熱搬送系統Ｌを流れる圧縮式冷媒に投入され、気相の圧縮式冷媒を凝縮する。
【００５７】
気相を幾分残しているが、液相の低温圧縮式冷媒は、ラインＬ１から開閉弁Ｖ１、ラインＬ２、開閉弁Ｖ２、分岐点Ｂ２及びラインＬ４に介装されたレシーバ１０を介して完全に気相分が分離除去された低温液相冷媒は冷媒搬送用のポンプ１２に吸入され、圧力を付加されて吐出される。
その後、分岐点Ｂ３、ラインＬ６の開閉弁Ｖ５、分岐点Ｂ４、ラインＬ７、分岐点Ｂ５、ラインＬ８、分岐点Ｂ６、ラインＬ９の開閉弁Ｖ７を介して、圧縮式冷暖房機２−１のファンコイル９に流入する。
【００５８】
しかし、図３の通常運転の場合は、熱搬送系統Ｌを流れる圧縮式冷媒は、その全量が開閉弁Ｖ７を介して圧縮式冷暖房機２−１のファンコイル９に流入した。
これに対して、図４のパワフル冷房運転の場合は、熱搬送系統Ｌを流れる圧縮式冷媒が流れるラインＬ８が、分岐点Ｂ６でラインＬ９とＬ１４とに分岐しており、開閉弁Ｖ６の開放されているため、圧縮式冷暖房機２−１に流入した圧縮式冷媒の一部がラインＬ１４を流れ、開閉弁Ｖ６を介して熱交換器６に流入して、圧縮式冷暖房機２内部の冷媒循環系統Ｋを流れる冷媒と熱交換を行う。
【００５９】
ここで、圧縮式冷暖房機２内部の冷媒循環系統Ｋを説明する。
圧縮機８は、冷媒循環系統ＫのラインＫ４を流れる低圧の気相冷媒を圧縮して、高圧気相冷媒としてラインＫ１に吐出する。
【００６０】
ラインＫ１を流れる高圧気相冷媒は、熱交換器６で、熱搬送系統Ｌを流れる圧縮式冷媒に気化熱を投与して凝縮して、高圧液相冷媒となり、ラインＫ２を流れる。
一方、熱搬送系統Ｌを流れる圧縮式冷媒は、ラインＫ１を流れる高圧気相冷媒から気化熱を奪い、気相の圧縮式冷媒となり、ラインＬ１３を流れる。すなわち、熱交換器６は、気化熱と凝縮熱とを熱交換する潜熱−潜熱熱交換器として作用する。
【００６１】
熱搬送系統Ｌに着目すれば、圧縮式冷暖房機２内部の冷媒循環系統Ｋを流れる高圧気相冷媒（ラインＫ１から熱交換器６へ流入する高圧気相冷媒）を潜熱−潜熱熱交換器である熱交換器６で確実に凝縮させるため、開閉弁Ｖ６の開度を適宜制御して、熱交換器６に流入する液相の圧縮式冷媒（熱搬送系統Ｌを流れる液相の圧縮式冷媒）の流量を調節する。
【００６２】
再び圧縮式冷暖房機２内部の冷媒循環系統Ｋにおいて、ラインＫ２を流れる高圧液相冷媒は、減圧弁として作用する開閉弁Ｖ１１を通過する際に減圧されて、低圧液相冷媒となってラインＫ３を流れ、ヒートポンプ１０に流入する。
ヒートポンプ１０に流入した低圧液相冷媒は、圧縮式冷暖房機２−１が設置されている空間（例えば、部屋）内から気化熱を奪って蒸発し、当該空間内の気温を降下せしめる（冷房運転）。
【００６３】
ヒートポンプ１０で気化した冷媒は、低圧気相冷媒としてラインＫ４を流れ、圧縮機８で再び圧縮される。
【００６４】
再び、熱搬送系統Ｌにおいて、分岐点Ｂ６からファンコイル９側に連通するラインＬ９を流れる圧縮式冷媒は、開閉弁Ｖ７を介してファンコイル９に流入すると、圧縮式冷暖房機２−１が設置されている空間（例えば、部屋）内から気化熱を奪って蒸発し、当該空間内の気温を降下せしめる（冷房運転）。その結果、気相の圧縮式冷媒となって、ラインＬ１０、Ｌ１１、Ｌ１２を流れる。
【００６５】
図４の場合においても、液相の圧縮式冷媒をファンコイル９において確実に蒸発させるため、開閉弁Ｖ７の開度を適宜調節して、ファンコイル９に流入する液相の圧縮式冷媒を減圧する。
【００６６】
ラインＬ１０とラインＬ１３は合流点Ｂ７で合流しており、潜熱−潜熱熱交換器６で気化した気相の圧縮式冷媒と、ファンコイル９で気化した気相の圧縮式冷媒は、合流点Ｂ７で合流してラインＬ１１、Ｌ１２を流れて、熱交換器４に流入する。
そして、冷温水供給系統Ｌｗを流れる冷水が保有する熱（いわゆる「冷熱」）が、熱搬送系統Ｌを流れる気相の圧縮式冷媒へ投入され、気相の圧縮式冷媒は凝縮して液相の圧縮式冷媒となり、熱搬送系統Ｌを流れる。
【００６７】
気相の圧縮式冷媒が熱交換器４で凝縮しなかった場合でも、レシーバ１１において気相の圧縮式冷媒が液相圧縮式冷媒から分離されるため、気相の冷媒がポンプ１２に吸入されてキャビテーションを生じ、ポンプ１２を破損させるようなことは防止される。
また、圧縮式冷媒に圧力を負荷するポンプが使用出来るため、圧縮機や、ブロワ等を使用する必要がなく、圧縮機用の潤滑油の戻りを考慮する必要も無い。
【００６８】
図４の場合、ポンプ１２で圧力が与えられる熱搬送系統Ｌの圧縮式冷媒がファンコイル９で気化熱を奪うのと同時に、圧縮機８で圧力が与えられる圧縮式冷暖房機２内部の冷媒循環系統Ｋの冷媒がヒートポンプ１０で気化熱を奪うので、圧縮式冷暖房機２−１が設置されている空間（例えば、部屋）は、図３の通常の冷房運転の場合に比較して、良く冷えた状態となり、温度が十分に降下する。
【００６９】
次に、図５に基づいて、吸収冷温水機１が冷房運転を行い、圧縮式冷暖房機２が圧縮機８を稼動して暖房運転を行う運転パターンについて説明する。
係る運転は、例えば、冬季と夏季との中間期で、冷房負荷と暖房負荷とが混在しているとき等に行われる。特に、セントラル空調が冷房運転を行っている場合に、吸収冷温水機１が冷房運転を行い、圧縮式冷暖房機２が圧縮機８を稼動して暖房運転を行う運転パターンが実行される場合がある。
【００７０】
図５において、開閉弁Ｖ１、Ｖ２、Ｖ５、Ｖ６は開放され、開閉弁Ｖ３、Ｖ４、Ｖ８、Ｖ９、Ｖ７は閉鎖されている。ここで、ラインＫ３の開閉弁Ｖ１１(図２参照)は全開であり、絞り機能は無い。従って、図３では図示を省略している。
【００７１】
圧縮式冷暖房機２内部の冷媒循環系統Ｋにおいて、圧縮機８は、図２〜図４で示すのとは異なった位置に配置されている。上述した様に、図示されていないバイパス回路や、４方弁等を別途設けることにより、システムの構成を変更すること無く、圧縮式冷暖房機２内部の冷媒循環系統Ｋの冷媒の流れる方向を変更した旨を、圧縮機８の位置を図３で示す様な位置に変更することで表現したものである。（後述する図７においても同様である）
【００７２】
熱交換器４を出た圧縮式冷媒は、ラインＬ１の開閉弁Ｖ１、ラインＬ２の開閉弁Ｖ２及びラインＬ４のレシーバ１０を介して冷媒搬送用のポンプ１２に吸入され、圧力を付加されて吐出される。
図３、図４と同様に、圧縮式冷暖房機２−２の開閉弁Ｖ８、Ｖ９が閉じられているので、熱搬送系統Ｌを流れる圧縮式冷媒は、圧縮式冷暖房機２−２には流入せず、圧縮式冷暖房機２−１側にのみ流れる。
【００７３】
しかし、図３の通常運転の場合は、圧縮式冷暖房機２−１に流入した圧縮式冷媒は、その全量が開閉弁Ｖ７を介してファンコイル９に流入するが、図５においては、開閉弁Ｖ７は閉鎖し、その代わり開閉弁Ｖ６が開放されているので、ラインＬ８を流れる圧縮式冷媒の全量が分岐点Ｂ６から開閉弁Ｖ６、ラインＬ１４を介して熱交換器６に流入する。
熱交換器６では、圧縮式冷暖房機２内部の冷媒循環系統Ｋを流れる冷媒と熱交換を行う。
【００７４】
ここで、圧縮式冷暖房機２内部の冷媒循環系統Ｋを説明する。
圧縮機８から吐出された高圧気相冷媒は、ラインＫ３を流れ、ヒートポンプ１０に流入する。
ヒートポンプ１０に流入した高圧気相冷媒は、圧縮式冷暖房機２−１が設置されている空間（例えば、部屋）に対して、凝縮熱を投入して高圧液相冷媒となり、当該空間内の気温を昇温せしめる（暖房運転）。
【００７５】
ヒートポンプ１０で凝縮した高圧液相冷媒はラインＫ４を流れ、減圧弁として作用する開閉弁Ｖ１２を通過する際に減圧され、低圧液相冷媒となる。低圧液相冷媒はラインＫ１を流れ、熱交換器６に流入する。
【００７６】
そして低圧液相冷媒は、熱交換器６で、熱搬送系統Ｌを流れる圧縮式冷媒から気化熱を投与されて気化し、低圧気相冷媒となり、ラインＫ２を流れる。そして、圧縮機８で圧縮される。
一方、熱搬送系統Ｌを流れる液相の圧縮式冷媒は、ラインＫ１を流れる低圧液相冷媒に気化熱を奪われ、その温度が低下する。すなわち、熱交換器６は、熱搬送系統Ｌを流れる液相の圧縮式冷媒における顕熱を、圧縮式冷暖房機２−１内部の冷媒循環系統Ｋを流れる低圧液相冷媒における気化熱（潜熱）として投入する顕熱−潜熱熱交換器として作用する。
【００７７】
熱搬送系統Ｌにおいて、熱交換器６（顕熱−潜熱熱交換器）で降温した液相の圧縮式冷媒は、ラインＬ１３、Ｌ１１、Ｌ１２を介して、熱交換器４に流入する。
【００７８】
吸収式冷温水機１から冷温水供給系統Ｌｗに送られる冷水が保有する熱（いわゆる「温熱」）は、熱交換器４を介して熱搬送系統Ｌを流れる圧縮式冷媒に投入され、圧縮式冷媒を昇温する。換言すれば、圧縮式冷媒は、冷温水供給系統Ｌｗに送られる冷水により加熱される。
なお、圧縮式冷媒は、上述した通り、熱交換器６（顕熱−潜熱熱交換器）において、冷媒循環系統Ｋの冷媒の気化熱を供給しており、温度が低下している。
【００７９】
熱搬送系統Ｌを流れる圧縮式冷媒を加熱する結果、冷温水供給系統Ｌｗに送られる冷水は非常に低温となるが、冷温水供給系統Ｌｗに連通している他の熱交換器（熱交換器４に相当するもの：例えば、建造物Ｂの他の階に存在する熱交換器）から戻ってくる冷水の温度が昇温されているので、相殺される（熱源機間の相殺、融通）。
係る相殺があるので、吸収冷温水機１側では、圧縮機８を稼動して暖房を行っても、さほど、エネルギの増加は無い。
【００８０】
以上が吸収冷温水機１に冷房運転を行わせる場合（３パターン：図３〜図５）である。
次に、吸収冷温水機１に暖房運転を行わせる場合（４パターン：図６〜図９）について、個々に説明する。
【００８１】
図６は通常暖房の運転パターンで、吸収式冷温水機１が暖房運転（冷温水供給系統Ｌｗに温水を供給する運転）を行っており、圧縮式冷暖房機２における圧縮機８を使わない場合を示している。
即ち、圧縮機８を稼動させず、吸収式冷温水機１が供給する温水で供給される熱を使用して、圧縮式冷暖房機２が設けられている空間で暖房運転を行う事例である。
【００８２】
圧縮式冷暖房機２の圧縮機８は使用せず（稼動させず）、ファンコイル９で（圧縮式冷暖房機２が設けられている空間を）暖房している。
ファンコイル９で対応出来ない場合（図７のパワフル冷房：後述）のみ、圧縮機８を稼動することで対応する。
【００８３】
図６において、開閉弁Ｖ１、Ｖ３、Ｖ４、Ｖ７は開放され、開閉弁Ｖ２、Ｖ５、Ｖ６、Ｖ８、Ｖ９は閉鎖されている。
【００８４】
圧縮式冷暖房機２−２の開閉弁Ｖ８、Ｖ９が閉じられているので、熱搬送系統Ｌを流れる圧縮式冷媒は、圧縮式冷暖房機２−２には流入せず、圧縮式冷暖房機２−１側にのみ流れる。
【００８５】
吸収式冷温水機１から冷温水供給系統Ｌｗに送られる温水が保有する熱（いわゆる「温熱」）は、熱交換器４を介して熱搬送系統Ｌを流れる圧縮式冷媒に投入され、液相の圧縮式冷媒を加熱して気相の圧縮式冷媒に気化せしめる。
気相の圧縮式冷媒は、ラインＬ１２、ラインＬ１１、ラインＬ１０を介して圧縮式冷暖房機２−１のファンコイル９に流入する。
【００８６】
この場合、圧縮式冷暖房機２−１内の圧縮機８は稼動せず、冷媒は冷媒循環系統Ｋを流れないので、熱交換器６で熱搬送系統Ｌを流れる圧縮式冷媒と熱交換を行う必要はない。そのため、開閉弁Ｖ６を閉鎖しており、熱搬送系統Ｌを流れる圧縮式冷媒は全量がファンコイル９へ流入する。
【００８７】
ファンコイル９において、熱搬送系統Ｌを流れる気相の圧縮式冷媒は、保有している気化熱を圧縮式冷暖房機２−１が設置されている空間（例えば、部屋）内に投与して凝縮し、当該空間内の気温を上昇させる。
【００８８】
ファンコイルで凝縮した液相の圧縮式冷媒は、開閉弁Ｖ７、ラインＬ９、ラインＬ８、分岐点Ｂ５、ラインＬ７、分岐点Ｂ４、ラインＬ５の開閉弁Ｖ４、分岐点Ｂ２、ラインＬ４のレシーバ１１を介して冷媒搬送用のポンプ１２に吸入され、圧力を付加されてポンプ１２から吐出される。
【００８９】
ここで、ファンコイル９において気相の圧縮式冷媒が凝縮しきれなかった場合に、気相の冷媒がポンプ１２に吸入されてポンプ１２を破損しないように、レシーバ１１において、気相の圧縮式冷媒が液相圧縮式冷媒から分離される。
【００９０】
ポンプ１２から吐出された液相の圧縮式冷媒は、分岐点Ｂ３、ラインＬ３の開閉弁Ｖ３、分岐点Ｂ１、ラインＬ１の開閉弁Ｖ１を介して熱交換器４まで戻り、再び、冷温水供給系統Ｌｗを流れる温水が保有する熱が投入されて、気化する。そして、気相の圧縮式冷媒として、再び熱搬送系統ＬのラインＬ１２を流れる。
【００９１】
次に、図７に基づいて、いわゆる「パワフル暖房運転」、即ち、吸収冷温水機１が暖房運転を行い、圧縮式冷暖房機２（２−１）も圧縮機８を稼動して暖房運転を行う運転パターンについて説明する。
【００９２】
図７において、開閉弁Ｖ１、Ｖ３、Ｖ４、Ｖ６、Ｖ７は開放され、開閉弁Ｖ２、Ｖ５、Ｖ８、Ｖ９は閉鎖されている。
ここで、圧縮式冷暖房機２内部の冷媒循環系統Ｋの開閉弁Ｖ１１（図２参照）は全開状態で、絞り機能は無い。そのため、図７では図示を省略している。
【００９３】
圧縮式冷暖房機２内部の冷媒循環系統Ｋにおいて、圧縮機８は、図２〜図６で示すのとは異なった位置に配置されている。上述した様に、図示されていないバイパス回路や、４方弁等を別途設けることにより、システムの構成を変更すること無く、圧縮式冷暖房機２内部の冷媒循環系統７の冷媒の流れる方向を変更した旨を、圧縮機８の位置を図７で示す位置に変更することで表現したものである（図５においても同様）。
【００９４】
ここで、圧縮式冷暖房機２−２の開閉弁Ｖ８、Ｖ９が閉じられているので、熱搬送系統Ｌを流れる圧縮式冷媒は、圧縮式冷暖房機２−２には流入せず、圧縮式冷暖房機２−１側にのみ流れる。
そして、吸収式冷温水機１から冷温水供給系統Ｌｗに送られる温水が保有する熱は、熱交換器４を介して、熱搬送系統Ｌを流れる圧縮式冷媒に投入され、液相の圧縮式冷媒を加熱して気化する。
熱交換器４で気化された気相の圧縮式冷媒はラインＬ１２、Ｌ１１を流れ、圧縮式冷暖房機２−１に供給される。
【００９５】
図６の通常暖房運転の場合は、ラインＬ１２、Ｌ１１、Ｌ１０を流れる圧縮式冷媒は、その全量が開閉弁Ｖ７を介して圧縮式冷暖房機２−１のファンコイル９に流入した。
これに対して、図７のパワフル暖房運転の場合は、熱搬送系統Ｌを流れる圧縮式冷媒はラインＬ１２、Ｌ１１を経由した後、分岐点Ｂ７おいてラインＬ１０とラインＬ１３とに分岐し、且つ、開閉バルブＶ６、Ｖ７の双方が閉止されていないため、圧縮式冷媒の一部がラインＬ１３を流れ、開閉弁Ｖ６を介して圧縮式冷暖房機２−１の熱交換器６に流入して、圧縮式冷暖房機２内部の冷媒循環系統Ｋを流れる冷媒と熱交換を行う。
【００９６】
ここで、パワフル暖房運転時における圧縮式冷暖房機２内部の冷媒（熱媒）が循環する態様について説明する。
圧縮機８は、冷媒循環系統ＫのラインＫ６を流れる低圧の気相冷媒を圧縮して、高圧気相冷媒としてラインＫ７に吐出する。
【００９７】
ラインＫ７を流れる高圧気相冷媒はヒートポンプ１０に流入し、保有する気化熱を圧縮式冷暖房機２−１が設置されている空間（例えば、部屋）内に投与して凝固し、当該空間内の気温を上昇せしめる（暖房運転）。
ヒートポンプ１０で凝縮した冷媒は、高圧液相冷媒としてラインＫ８を流れ、減圧弁として作用する開閉弁Ｖ１２を通過する際に減圧されて、低圧液相冷媒となってラインＫ９を流れる。
【００９８】
ラインＫ９を流れる低圧液相冷媒は熱交換器６に流入し、熱搬送系統Ｌを流れる圧縮式冷媒から投与された気化熱により気化して、低圧気相冷媒となり、ラインＫ６を流れる。
一方、熱搬送系統Ｌを流れる気相の圧縮式冷媒は、熱交換器６で、保有する気化熱をラインＫ９から流入した低圧液相冷媒へ気化熱を投入して凝縮し、液相の圧縮式冷媒となり、ラインＬ１４を流れる。すなわち、熱交換器６は、気化熱の授受を行う潜熱−潜熱熱交換器として作用する。
【００９９】
ここで、熱搬送系統Ｌに着目すれば、冷媒循環系統Ｋを流れる低圧液相冷媒（ラインＫ９から熱交換器６に流入した低圧液相冷媒）を、潜熱−潜熱熱交換器である熱交換器６で確実に蒸発させるため、開閉弁Ｖ６の開度を適宜制御して、熱交換器６に流入する気相の圧縮式冷媒流量を調節する。
【０１００】
再び、熱搬送系統Ｌにおいて、分岐点Ｂ７からファンコイル９側に連通するラインＬ１０を流れる気相の圧縮式冷媒は、ファンコイル９に流入すると、圧縮式冷暖房機２−１が設置されている空間（例えば、部屋）内へ気化熱を投入し、当該空間内の気温を昇温せしめる（暖房運転）。そして、ファンコイル９に流入した気相の圧縮式冷媒は、凝縮して液相の圧縮式冷媒となって開閉弁Ｖ７、ラインＬ９を流れる。
【０１０１】
ラインＬ９を流れる液相の圧縮式冷媒は、分岐点Ｂ６において、熱交換器６側からラインＬ１４を流れる液相の圧縮式冷媒と合流して、ラインＬ８を流過する。そして、分岐点Ｂ５、ラインＬ７、分岐点Ｂ４を経由して、ラインＬ５の開閉弁Ｖ４、分岐点Ｂ２、ラインＬ４のレシーバ１１を介して、冷媒搬送用のポンプ１２に吸入され、圧力を付加されてポンプ１２から吐出される。
ポンプ１２から吐出された圧縮式冷媒は、分岐点Ｂ３、ラインＬ３の開閉弁Ｖ３、分岐点Ｂ１、及びラインＬ１の開閉弁Ｖ１を介して、熱交換器４に流入する。
【０１０２】
ここで、圧縮式冷媒が熱交換器６或いはファンコイル９で気化しなかった場合でも、レシーバ１１において気相の圧縮式冷媒が液相圧縮式冷媒から分離されるため、気相の冷媒がポンプ１２に吸入されてポンプ１２を破損されることは防止される。
【０１０３】
熱交換器４に流入した液相の圧縮式冷媒は、冷温水供給系統Ｌｗを流れる温水が保有する熱を投入されて気化する。そして、気相の圧縮式冷媒は再び熱搬送系統Ｌを流れる。
【０１０４】
図７の場合、気相の圧縮式冷媒がファンコイル９で凝縮して、圧縮式冷暖房機２−１が設置されている空間に気化熱を投入すると共に、圧縮機８で圧力が与えられた圧縮式冷暖房機２内部の冷媒循環系統Ｋの冷媒が、ヒートポンプ１０で、圧縮式冷暖房機２−１が設置されている空間に気化熱を投入するので、当該空間（圧縮式冷暖房機２−１が設置されている空間）は、図６の通常の暖房運転の場合に比較して、さらに大量の熱（気化熱）が投入される。
【０１０５】
次に、図８、図９に基づいて、冬季の冷房運転、すなわち、吸収冷温水機１が暖房運転を行い、複数の圧縮式冷暖房機２の少なくとも１台が、圧縮機８を稼動して冷房運転を行う運転パターンについて説明する。
ここで、冬季に冷房運転を行う場合としては、例えば、サーバールーム等では一年中冷房を行うことが要求される。また、いわゆる「ＯＡ機器」の普及により、冬季においても冷房運転を行いたい、という需要は増加している。
さらに、冬季と夏季の中間期において、冷房需要と暖房需要とが混在する場合も、図８、図９で説明する「冬季の冷房運転」の運転パターンで対処可能である。
【０１０６】
冬季の冷房は２パターン存在する。
各々について、図８、図９を参照して、それぞれ説明する。
【０１０７】
先ず、図８は熱搬送系統Ｌを流れる圧縮式冷媒が、熱交換器４を出た際に気相状態である運転パターンである。
図８において、圧縮式冷暖房機２−１は冷房運転を行い、圧縮式冷暖房機２−２は暖房運転を行う。
【０１０８】
図８において、開閉弁Ｖ１、Ｖ３、Ｖ４、Ｖ７、Ｖ８は開放され、開閉弁Ｖ２、Ｖ５、Ｖ６、Ｖ９は閉鎖されている。また、ラインＫ４の開閉弁Ｖ１２（図２参照）は全開されており、絞り機能は無いので、図８では図示を省略している。
【０１０９】
熱交換器４を出た気相の圧縮式冷媒は、ラインＬ１２を流れ、分岐点Ｂ８で、圧縮式冷暖房機２−１に連通するラインＬ１１と、圧縮式冷暖房機２−２に連通するラインＬ１５とに分岐する。
【０１１０】
ここで、図３〜図７の運転パターンでは、開閉弁Ｖ８、Ｖ９が閉じられており、熱搬送系統３Ｌを流れる圧縮式冷媒は、圧縮式冷暖房機２−２には流入せず、圧縮式冷暖房機２−１側にのみ流れる。しかし、図８（図９も同様）の場合は、開閉弁Ｖ９は開放されているので、熱搬送系統Ｌを流れる圧縮式冷媒は圧縮式冷暖房機２−２のファンコイル９にも流入する。
【０１１１】
先ず、圧縮式冷暖房機２−２側について説明する。
ラインＬ１５を流れる液相の圧縮式冷媒は、分岐点Ｂ９、ラインＬ１６を経由してファンコイル９−２に流入する。ファンコイル９−２において、液相の圧縮式冷媒は、その保有する熱量（顕熱）を、圧縮式冷暖房機２−２が設置された空間（例えば部屋）に投入して、当該空間の気温を昇温する（暖房運転）。
【０１１２】
圧縮式冷暖房機２−２が設置された空間に保有する熱量を投入して昇温せしめた液相の圧縮式冷媒は、その温度が降温した状態でラインＬ１７の開閉弁Ｖ７、分岐点Ｂ１０、ラインＬ１８を流れ、分岐点Ｂ５で、圧縮式冷暖房機２−１側からラインＬ８を介して流れる気相冷媒と合流する。
【０１１３】
分岐点Ｂ８からラインＬ１１を介して流れる気相の圧縮式冷媒は、開閉弁Ｖ７が閉鎖し、開閉弁Ｖ６が開放されているので、その全量が圧縮式冷暖房機２−１の熱交換器６に流入する。
熱交換器６では、圧縮式冷暖房機２内部の冷媒循環系統Ｋを流れる冷媒と熱交換を行う。
【０１１４】
圧縮式冷暖房機２内部の冷媒循環系統Ｋを説明する。
【０１１５】
圧縮機８から吐出された高圧気相冷媒はラインＫ１を介して熱交換器６に流入し、熱搬送系統Ｌを流れる液相の圧縮式冷媒に気化熱を投与して凝縮して、高圧液相冷媒となり、ラインＫ２を流れる。
熱交換器６において、熱搬送系統Ｌを流れる気相の圧縮式冷媒は、高圧気相冷媒からの気化熱が投入されるため、その温度が上昇（昇温）する。すなわち、熱交換器６は、熱搬送系統Ｌを流れる気相の圧縮式冷媒の顕熱と、圧縮式冷暖房機２−１内部の冷媒循環系統Ｋを流れる高圧気相冷媒の気化熱（潜熱）とを授受するので、顕熱−潜熱熱交換器として作用する。
【０１１６】
再び圧縮式冷暖房機２−１内部の冷媒循環系統Ｋにおいて、ラインＫ２を流れる高圧液相冷媒は、減圧弁として作用する開閉弁Ｖ１１を通過する際に減圧されて低圧液相冷媒となり、ラインＫ３を流れ、ヒートポンプ１０に流入する。
ヒートポンプ１０に流入した低圧液相冷媒は、圧縮式冷暖房機２−１が設置されている空間（例えば、部屋）から気化熱を奪って低圧気相冷媒となり、当該空間内の気温を降温せしめる（冷房運転）。
【０１１７】
ヒートポンプ１０で気化した低圧気相冷媒はラインＫ４を流れ、圧縮機８に吸入されて、再び圧縮されて高圧気相冷媒として吐出される。
【０１１８】
熱搬送系統Ｌでは、熱交換器６（顕熱−潜熱熱交換器）で昇温された気相の圧縮式冷媒は、ラインＬ１４の開閉弁Ｖ６、分岐点Ｂ６、ラインＬ８を介して、分岐点Ｂ５で、圧縮式冷暖房機２−２側から戻った液相の圧縮式冷媒と合流し、気液２相流となる。そして、ラインＬ７、分岐点Ｂ４、ラインＬ５の開閉弁Ｖ４、分岐点Ｂ２、ラインＬ４のレシーバ１１、ラインＬ４を介して、ポンプＬ１２に吸入される。
【０１１９】
ここで、気液２相流がポンプ１２にそのまま吸入されると、気槽の圧縮式冷媒の存在によりポンプ１１２が破損される恐れがあるので、レシーバ１１において、気相の圧縮式冷媒が液相の圧縮式冷媒から分離される。
【０１２０】
ポンプ１２で圧力が付加された液相の圧縮式冷媒は、分岐点Ｂ３、ラインＬ３の開閉弁Ｖ３、分岐点Ｂ１、ラインＬ１の開閉弁Ｖ１を介して、熱交換器４に流入する。
吸収式冷温水機１から冷温水供給系統Ｌｗに送られる温水が保有する熱（いわゆる「温熱」）は、熱交換器４を介して熱搬送系統Ｌを流れる圧縮式冷媒に投入され、液相の圧縮式冷媒を加熱して気化する。
【０１２１】
次に、図９に基づいて、熱搬送系統Ｌを流れる圧縮式冷媒が、熱交換器４を出た際に液相状態である運転パターンについて説明する。
図９において、圧縮式冷暖房機２−１は冷房運転を行い、圧縮式冷暖房機２−２は暖房運転を行う。
【０１２２】
図９において、開閉弁Ｖ１、Ｖ２、Ｖ５、Ｖ６、Ｖ９は開放され、開閉弁Ｖ３、Ｖ４、Ｖ７、Ｖ８は閉鎖されている。ラインＫ４の開閉弁Ｖ１２（図２参照）は全開しており、絞り機能は無いので、図９では図示を省略している。
【０１２３】
熱交換器４を出た液相の圧縮式冷媒は、ラインＬ１の開閉弁Ｖ１、分岐点Ｂ１、ラインＬ２の開閉弁Ｖ２、分岐点Ｂ２及びラインＬ４のレシーバ１１を介して冷媒搬送用のポンプ１２に吸入され、圧力を付加されてポンプ１２から吐出される。
ポンプ１２から吐出された液相の圧縮式冷媒は、分岐点Ｂ３、ラインＬ６の開閉弁Ｖ５、分岐点Ｂ４、ラインＬ７を介して流れ、分岐点Ｂ５で、圧縮式冷暖房機２−１に連通するラインＬ８と、圧縮式冷暖房機２−２に連通するラインＬ１８とに分岐する。
【０１２４】
ここで、図８で説明したのと同様に、図９の運転パターンにおいても、圧縮式冷暖房機２−２の開閉弁Ｖ９は開放されているので、熱搬送系統Ｌを流れる圧縮式冷媒は圧縮式冷暖房機２−２にも流入する。
【０１２５】
先ず、圧縮式冷暖房機２−２側について説明する。
ラインＬ１８を流れる液相の圧縮式冷媒は、分岐点Ｂ１０、ラインＬ１７の開閉弁Ｖ９を介してファンコイル９に流入する。ファンコイル９において、液相の圧縮式冷媒は、その保有する熱量（顕熱）を、圧縮式冷暖房機２−２が設置された空間（例えば部屋）に投入して、当該空間の気温を昇温する（暖房運転）。
【０１２６】
圧縮式冷暖房機２−２が設置された空間に保有する熱量を投入して昇温せしめた液相の圧縮式冷媒は、その温度が降温した状態でラインＬ１６を流れ、分岐点Ｂ９、ラインＬ１５を経由して、分岐点Ｂ８で、圧縮式冷暖房機２−１側からラインＬ１１を介して流れる気相冷媒と合流する。
【０１２７】
分岐点Ｂ５からラインＬ８を介して圧縮式冷暖房機２−１に供給された液相の圧縮式冷媒は、開閉弁Ｖ７は閉鎖し、開閉弁Ｖ６が開放されているので、その全量がラインＬ１４、開閉弁Ｖ６を介して熱交換器６に流入する。
熱交換器６では、圧縮式冷暖房機２内部の冷媒循環系統Ｋを流れる冷媒と熱交換を行う。
【０１２８】
圧縮式冷暖房機２−１内部の冷媒循環系統Ｋを説明する。
【０１２９】
圧縮機８から吐出された高圧気相冷媒はラインＫ１を介して熱交換器６に流入し、熱搬送系統Ｌを流れる液相の圧縮式冷媒に気化熱を投与して凝縮して、高圧液相冷媒となり、ラインＫ２を流れる。
熱交換器６において、熱搬送系統Ｌを流れる液相の圧縮式冷媒は、高圧気相冷媒からの気化熱が投入されて気化して、気相の圧縮式冷媒となる。すなわち、熱交換器６は、熱搬送系統Ｌを流れる液相の圧縮式冷媒と、圧縮式冷暖房機２−１内部の冷媒循環系統Ｋを流れる高圧気相冷媒との間で、気化熱（潜熱）の授受を行う潜熱−潜熱熱交換器として作用する。
【０１３０】
再び圧縮式冷暖房機２−１内部の冷媒循環系統Ｋにおいて、ラインＫ２を流れる高圧液相冷媒は、減圧弁として作用する開閉弁Ｖ１１を通過する際に減圧されて低圧液相冷媒となり、ラインＫ３を流れ、ヒートポンプ１０に流入する。
ヒートポンプ１０に流入した低圧液相冷媒は、圧縮式冷暖房機２−１が設置されている空間（例えば、部屋）から気化熱を奪って低圧気相冷媒となり、当該空間内の気温を降温せしめる（冷房運転）。
【０１３１】
ヒートポンプ１０で気化した低圧気相冷媒はラインＫ４を流れ、圧縮機８に吸入されて、再び圧縮されて高圧気相冷媒として吐出される。
【０１３２】
熱搬送系統Ｌでは、熱交換器６（潜熱−潜熱熱交換器）で気化した圧縮式冷媒は、ラインＬ１３、分岐点Ｂ７、ラインＬ１１を介して、合流点Ｂ８で、圧縮式冷暖房機２−２側から戻った液相の圧縮式冷媒と合流し、気液２相流となってラインＬ１２を流過して、熱交換器４に流入する。
【０１３３】
吸収式冷温水機１から冷温水供給系統Ｌｗに送られる温水が保有する熱（いわゆる「温熱」）は、熱交換器４を介して熱搬送系統Ｌを流れる圧縮式冷媒に投入され、圧縮式冷媒を昇温する。換言すれば、圧縮式冷媒は、冷温水供給系統Ｌｗを流れる温水により加熱される。
【０１３４】
ここで、熱交換器４において圧縮式冷媒が気化してしまうと、圧縮式冷媒をラインＬ４に介装したポンプ１２で搬送することが不可能となり、或いは、ポンプ１２を破損してしまう恐れが存在する。
冷温水供給系統Ｌｗを流れる温水の温度レベルを低くすれば、圧縮式冷媒が気化することを防止できる。
【０１３５】
しかし、冷温水レベルを高く出来る（６０℃程度まで可能）のが、吸収式冷温水機の特徴であるため、冷温水供給系統Ｌｗを流れる温水の温度レベルを低く設定してしまうと、吸収式冷温水機１の特徴が生かせなくなってしまう。
また、冷温水供給系統Ｌｗを流れる温水の温度レベルを低く設定してしまうと、圧縮式冷暖房機２−２側の暖房のために、圧縮式冷媒の流量を増量しなければならず、ポンプ１２の負担増となる。
【０１３６】
これに対して、ラインＬ１２に圧力調整バルブＶｃを設けることが好適である。
圧力調整バルブＶｃを設けることにより、熱交換器４において冷温水供給系統Ｌｗを流れる温水が保有する熱を投入されても、圧縮式冷媒が気化しないように、熱搬送系統Ｌ内の圧力を調整することが可能となる。
【０１３７】
図示の実施形態はあくまでも例示であり、本発明の技術的範囲を限定する趣旨の記述ではない旨を付記する。
【図面の簡単な説明】
【０１３８】
【図１】本発明の実施形態の概略構成を示すブロック図。
【図２】本発明の実施形態の詳細な構成を示すブロック図。
【図３】本発明の実施形態における「通常の冷房運転」であり、吸収式温水機が冷房運転を行い、圧縮式冷房機では圧縮機を運転していない運転パターンを示す状態図。
【図４】本発明の実施形態における「パワフル冷房運転で」あり、吸収式温水機が冷房運転を行い、圧縮式冷房機が圧縮機を稼動して冷房運転する運転パターンを示す状態図。
【図５】本発明の実施形態において、吸収式温水機が冷房運転を行い、圧縮式冷房機が圧縮機を稼動して暖房運転する運転パターンを示す状態図。
【図６】本発明の実施形態における「通常の暖房運転」であり、吸収式温水機が暖房運転を行い、圧縮式冷房機では圧縮機を運転していない運転パターンを示す状態図。
【図７】本発明の実施形態における「パワフル暖房運転で」あり、吸収式温水機が暖房運転を行い、圧縮式冷房機も圧縮機を稼動して暖房運転する運転パターンを示す状態図。
【図８】本発明の実施形態において熱搬送系を流れる圧縮式冷媒が、熱交換器を出た際に気相状態である運転パターンを示した状態図。
【図９】本発明の実施形態において熱搬送系を流れる圧縮式冷媒が、熱交換器を出た際に液相状態である運転パターンを示した状態図。
【図１０】従来技術の集中熱源方式の空気調和システムの概略構成を示したブロック図。
【図１１】従来技術の個別分散熱源方式の空気調和システムの概略構成を示したブロック図。
【符号の説明】
【０１３９】
１・・・吸収式冷温水機
２・・・圧縮式冷暖房機燃料電池運転状況判定手段／電池監視装置
４・・・熱交換器
６・・・熱交換器
７・・・酸化剤供給量制御手段／酸化剤調整バルブ
８・・・圧縮機
９・・・ファンコイル
１０・・・ヒートポンプ
１１・・・レシーバ
１２・・・ポンプ
Ｂ１〜Ｂ１０・・・分岐点
Ｋ・・・冷媒循環系等
Ｋ１〜Ｋ５・・・(冷媒循環系統の)ライン
Ｌ・・・熱搬送系統
Ｌ１〜Ｌ２０・・・（熱搬送系統）のライン
Ｖ１〜Ｖ１２・・・開閉弁
【図１】
2006258390.tif 000003
【図２】
2006258390.tif 000004
【図３】
2006258390.tif 000005
【図４】
2006258390.tif 000006
【図５】
2006258390.tif 000007
【図６】
2006258390.tif 000008
【図７】
2006258390.tif 000009
【図８】
2006258390.tif 000010
【図９】
2006258390.tif 000011
【図１０】
2006258390.tif 000012
【図１１】
2006258390.tif 000013